【手続補正書】
【提出日】平成20年9月5日(2008.9.5)
【手続補正１】
【補正対象書類名】特許請求の範囲
【補正対象項目名】全文
【補正方法】変更
【補正の内容】
【特許請求の範囲】
【請求項１】
放射線検出器と、前記放射線検出器が放射線進行方向および放射線進行方向と直交する方向に複数個並べられて取り付けられる配線基板とを備えた放射線検出モジュールであって、
前記放射線検出器は、
半導体素子の一方の面にカソード電極、および他方の面にアノード電極を有する検出素子を、放射線進行方向に直交する方向に複数個並列配置して、前記アノード電極および前記カソード電極が放射線進行方向と直交する方向に並ぶ状態で配置されているとともに、
放射線進行方向において、前記検出素子の一側に、前記アノード電極に接続された導電部材の接続部が突出し、前記検出素子の他側に、前記カソード電極に接続された導電部材の接続部が突出しており、
放射線進行方向に隣合う前記放射線検出器の間に、前記アノード電極または前記カソード電極の同極同士の前記接続部が相互に向かい合う状態に配置されて、これらが接続部材にてそれぞれ接続されており、
前記カソード電極の前記接続部に接続された前記接続部材は、
前記配線基板上において、放射線進行方向と直交する方向にそれぞれ延設され、放射線進行方向と直交する方向の前記カソード電極の前記接続部同士を接続しているとともに、放射線進行方向に配設された導電材にそれぞれ接続されていることを特徴とする放射線検出モジュール。
【請求項２】
前記半導体素子が、ＣｄＴｅ，ＣｄＺｎＴｅおよびＧａＡｓのいずれかにて構成されていることを特徴とする請求項１に記載の放射線検出モジュール。
【請求項３】
前記導電材が配線または導電部材であることを特徴とする請求項１または請求項２に記載の放射線検出モジュール。
【請求項４】
前記接続部は、前記放射線検出器同士の対向面側の下部から対向方向に張り出す張出部と、前記張出部から垂下された端子部とを備え、
前記放射線検出器は、前記端子部により前記配線基板の基板面に非密着状態に取り付けられることを特徴とする請求項１から請求項３のいずれか１項に記載の放射線検出モジュール。
【請求項５】
前記放射線検出器は、前記検出素子が、放射線進行方向に直交する方向に同極が交互に向かい合う状態に複数個並列配置してなることを特徴とする請求項１から請求項４のいずれか１項に記載の放射線検出モジュール。
【請求項６】
配線基板と、前記配線基板の第１領域に設けられ、複数の放射線検出器を含む複数の検出チャンネルと、前記配線基板の第２領域に設けられ、前記検出チャンネルの各々に別々に接続された信号処理装置とを備え、
前記放射線検出器は、前記第１領域から前記第２領域に向かう、放射線進行方向となる第１方向、および前記第１方向と直交する第２方向にそれぞれ複数個配置され、各放射線検出器は、半導体素子の一方の面にカソード電極、および他方の面にアノード電極を有する検出素子を、前記第２方向に複数個並列配置して、前記アノード電極および前記カソード電極が前記第２方向に並ぶ状態で配置されてなり、
前記第１方向において、前記検出素子の一側に、前記アノード電極に接続された導電部材の接続部が突出し、前記検出素子の他側に、前記カソード電極に接続された導電部材の接続部が突出しており、
前記第１方向に隣合う前記放射線検出器の間に、前記アノード電極または前記カソード電極の同極同士の前記接続部が相互に向かい合う状態に配置されて、これらが接続部材にてそれぞれ接続されており、
前記カソード電極の前記接続部に接続された前記接続部材は、
前記配線基板上において、前記第２方向にそれぞれ延設されて前記第２方向の前記カソード電極の前記接続部同士を接続しているとともに、前記第１方向に配設された導電材にそれぞれ接続されていることを特徴とするプリント基板。
【請求項７】
前記半導体素子が、ＣｄＴｅ，ＣｄＺｎＴｅおよびＧａＡｓのいずれかにて構成されていることを特徴とする請求項６に記載のプリント基板。
【請求項８】
前記配線基板は、前記複数の検出チャンネルが配置された第１配線基板と、前記複数の信号処理装置が配置された第２配線基板とを有し、
前記第１配線基板と前記第２配線基板とは、互いに着脱自在に結合されていることを特徴とする請求項６または請求項７に記載のプリント基板。
【請求項９】
複数の放射線検出器、および前記放射線検出器が取り付けられた配線基板を有し、被検体を支持するベッドが挿入される計測領域を取り囲み前記計測領域の周囲に配置された複数の放射線検出モジュールと、前記放射線検出器から出力された放射線検出信号を基に得られた情報を用いて画像を生成する画像情報作成装置とを備えた核医学診断装置であって、
前記放射線検出モジュールは、
前記配線基板の第１領域に設けられ、複数の前記放射線検出器を含む複数の検出チャンネルと、前記配線基板の第２領域に設けられ、前記検出チャンネルの各々に別々に接続された信号処理装置とを備え、
前記放射線検出器は、前記第１領域から前記第２領域に向かう、前記計測領域の半径方向となる第１方向、および前記第１方向と直交する第２方向にそれぞれ複数個配置され、各放射線検出器が、半導体素子の一方の面にカソード電極、および他方の面にアノード電極を有する検出素子を、前記第２方向に複数個並列配置して、前記アノード電極および前記カソード電極が前記第２方向に並ぶ状態で配置されてなり、
前記第１方向において、前記検出素子の一側に、前記アノード電極に接続された導電部材の接続部が突出し、前記検出素子の他側に、前記カソード電極に接続された導電部材の接続部が突出しており、
前記第１方向に隣合う前記放射線検出器の間に、前記アノード電極または前記カソード電極の同極同士の前記接続部が相互に向かい合う状態に配置されて、これらが接続部材にてそれぞれ接続されており、
前記カソード電極の前記接続部に接続された前記接続部材は、
前記配線基板上において、前記第１方向と直交する方向にそれぞれ延設され、前記第１方向と直交する方向の前記カソード電極の前記接続部同士を接続しているとともに、前記第１方向に配設された導電材にそれぞれ接続されていることを特徴とする核医学診断装置。
【請求項１０】
前記半導体素子が、ＣｄＴｅ，ＣｄＺｎＴｅおよびＧａＡｓのいずれかにて構成されていることを特徴とする請求項９に記載の核医学診断装置。
【手続補正２】
【補正対象書類名】明細書
【補正対象項目名】０００８
【補正方法】変更
【補正の内容】
【０００８】
前記した目的を達成するため、本発明では、放射線検出モジュールが、放射線検出器と、前記放射線検出器が放射線進行方向および放射線進行方向と直交する方向に複数個並べられて取り付けられる配線基板とを備えた放射線検出モジュールであって、前記放射線検出器は、半導体素子の一方の面にカソード電極、および他方の面にアノード電極を有する検出素子を、放射線進行方向に直交する方向に複数個並列配置して、前記アノード電極および前記カソード電極が放射線進行方向と直交する方向に並ぶ状態で配置されているとともに、放射線進行方向において、前記検出素子の一側に、前記アノード電極に接続された導電部材の接続部が突出し、前記検出素子の他側に、前記カソード電極に接続された導電部材の接続部が突出しており、放射線進行方向に隣合う前記放射線検出器の間に、前記アノード電極または前記カソード電極の同極同士の前記接続部が相互に向かい合う状態に配置されて、これらが接続部材にてそれぞれ接続されており、前記カソード電極の前記接続部に接続された前記接続部材は、前記配線基板上において、放射線進行方向と直交する方向にそれぞれ延設され、放射線進行方向と直交する方向の前記カソード電極の前記接続部同士を接続しているとともに、放射線進行方向に配設された導電材にそれぞれ接続されていることを特徴とする。